(57)【要約】【課題】天井や壁面に照明器具の器具本体２００を固定する際、ネジ１０２を保持して固定作業を補助する。【解決手段】ネジ孔２２０の両脇にネジ１０２を挟持するリブ２１０を備える。「く」の字形状である各リブ２１０は、ネジ頭部１０２ａの直径よりやや広い間隔で器具本体２００に接合され、屈折部分である挟持部２１２がネジ胴体部１０２ｂの直径よりやや狭い間隔を空けて位置する。（ａ）ネジ１０２がネジ孔２２０に締め込まれる前、各リブ２１０は互いの挟持部２１２でネジ１０２を挟持する。（ｂ）ネジ１０２がネジ孔２２０に締め込まれるとき、各リブ２１０の挟持部２１２はネジ頭部１０２ａにより押し広げられる。（ｃ）さらに、ネジ１０２が締め込まれるとネジ頭部１０２ａは押し広げた挟持部２１２を通過して器具本体２００の胴部２１１の間に収まり、器具本体２００は壁１０１に固定される。【選択図】図４
2010140730.tif 000002
【特許請求の範囲】
【請求項１】
ネジ孔を有する器具本体と、
前記ネジ孔の周囲で前記器具本体と接合し、前記ネジ孔の周囲に立設し、前記器具本体と接合した部分の互いの間隔がネジのネジ頭部径以上であり、互いの先頭部の間隔が前記ネジのネジ胴体部径以下であり、前記ネジを互いに挟んで支持する複数の立設片と
を備えたことを特徴とする照明器具。
【請求項２】
前記複数の立設片は、前記先頭部に、
前記ネジ胴体部を挟持する挟持部と、
前記挟持部から外側に傾斜する傾斜部と
を有することを特徴とする請求項１記載の照明器具。
【請求項３】
前記複数の立設片は、前記ネジのネジ頭部が前記傾斜部に沿って前記挟持部に向かって移動することにより、互いの前記挟持部の間隔が開く弾性部材である
ことを特徴とする請求項２記載の照明器具。
【請求項４】
前記複数の立設片は、くの字状である二片を含み、前記二片がくの字状の背側で対向してくの字状の屈折部て前記ネジのネジ胴体部を挟持する
ことを特徴とする請求項１〜請求項３いずれかに記載の照明器具。
【請求項５】
前記複数の立設片は、メガフォンの中心軸を通る断面の形状を呈する二片を含み、前記二片がメガフォンの中心軸を通る断面の形状の広口部側で前記ネジ孔の周囲に接合すると共にメガフォンの中心軸を通る断面の形状の絞り部で前記ネジのネジ胴体部を挟持する
ことを特徴とする請求項１〜請求項３いずれかに記載の照明器具。
【請求項６】
前記複数の立設片は、溝が付けられた溝付き部を根元に有する
ことを特徴とする請求項１記載の照明器具。
【請求項７】
前記複数の立設片は、前記先頭部で前記ネジ胴体部を挟持し、前記ネジのネジ頭部により前記先頭部が押し下げられて前記溝付き部で折れる
ことを特徴とする請求項６記載の照明器具。
【発明の詳細な説明】
【技術分野】
【０００１】
本発明は、例えば、天井または壁面に取り付けられる照明器具に関するものである。
【背景技術】
【０００２】
特許文献１に開示されているように、照明器具は木ねじで天井または壁面に取り付けられ、その木ねじは照明器具に同梱される。その際、木ねじは袋に入れられて照明器具本体にテープで固定されたり、照明器具本体にテープで直接固定されたりしている。
特許文献１では木ねじを天井または壁面にねじこむ際、木ねじを保持する保持部品をねじ孔に挿通して木ねじのねじこみ作業を補助するが、挿通された保持部品の先が天井または壁面に当たって押し出され、保持部品がねじ孔から抜けてしまい、保持部品により木ねじを保持できない場合も考えられる。
【特許文献１】実用新案登録第２５４６０４７号公報
【発明の開示】
【発明が解決しようとする課題】
【０００３】
背景技術では、木ねじを袋に入れる作業や木ねじをテープで固定する作業が発生する。また、梱包された照明器具の輸送時の振動や照明器具の保管時の熱によってテープが剥れたりして木ねじが紛失する可能性もある。また、部品点数が多い。
さらに、保持部品がねじ孔から抜けてしまった際に木ねじが紛失する可能性もある。
【０００４】
本発明は、例えば、木ねじを天井または壁面にねじこむ作業の際に、木ねじを保持して作業を補助できるようにすることを目的とする。
【課題を解決するための手段】
【０００５】
本発明の照明器具は、ネジ孔を有する器具本体と、前記ネジ孔の周囲で前記器具本体と接合すると共に前記ネジ孔の周囲に立設する複数の立設片であり前記ネジ孔に締め込められるネジを互いに挟んで支持する複数の立設片とを備える。
前記複数の立設片は、前記器具本体と接合した部分の互いの間隔が前記ネジのネジ頭部径以上である。
前記複数の立設片は、互いの先頭部の間隔が前記ネジのネジ胴体部径以下である。
【発明の効果】
【０００６】
本発明によれば、例えば、木ねじを天井または壁面にねじこむ作業の際に、木ねじを保持して作業を補助することができる。
【発明を実施するための最良の形態】
【０００７】
実施の形態１．
照明器具を木ねじで天井に取り付ける形態について説明する。
【０００８】
図１は、実施の形態１における照明器具１００の半断面図である。
実施の形態１における照明器具１００の構成について、図１に基づいて以下に説明する。
【０００９】
照明器具１００は、器具本体２００と器具本体２００に取り付けられて内部を覆うガラスグローブ１１０とを備える。
器具本体２００とガラスグローブ１１０とは互いに嵌め合う螺旋状の凸部（２０２、１１１）を有し、ガラスグローブ１１０は器具本体２００に回し込まれる。
断面図部分（図左側）に示すように、照明器具１００の内部ではランプ１２０がソケット１３０に取り付けられている。ソケット１３０は、器具本体２００のソケット取付口２０１に取り付けられている。器具本体２００とガラスグローブ１１０との取り付け部分にはパッキン１０３が設けられている。また、器具本体２００は、天井（または、側壁面）の壁１０１に木ねじ（以下、「ネジ１０２」と記す）で取り付けられる。
器具本体２００は、ネジ１０２がネジ孔２２０から壁１０１に締め込められる際にネジ１０２を支持してネジ１０２の締め込み作業を補助するリブ２１０（立設片の一例）を備える。
【００１０】
図２は、実施の形態１における器具本体２００の底面図であり、器具本体２００を図１のＡ方向（壁１０１側）から見た図である。
図２において、器具本体２００を壁１０１に固定するネジ１０２は裏側からネジ孔２２０に挿通される。
【００１１】
図３は、実施の形態１における器具本体２００の平面図であり、器具本体２００を図１のＢ方向（ガラスグローブ１１０側）から見た図である。
図３に示すように、ネジ１０２を支持するリブ２１０がネジ孔２２０の外周に沿って２組ずつ計４組設けられている。
２つ１組のリブ２１０は、対面する位置に設けられ、ネジ１０２を前後から挟んで支持する。
ネジ１０２は、リブ２１０が位置する各ネジ孔２２０の４か所から適宜選択された部分に締め込まれる。例えば、ネジ１０２は、図示するように、各ネジ孔２２０の外側部分に１本ずつ締め込まれる。また例えば、ネジ１０２は、各ネジ孔２２０の内側部分に１本ずつ、一方のネジ孔２２０の外側部分と他方のネジ孔２２０の内側部分とに１本ずつ又は各ネジ孔２２０に２本ずつ締め込まれる。
【００１２】
図４は、実施の形態１におけるネジ１０２の締め込み動作を示す図である。
実施の形態１におけるネジ１０２の締め込み動作について、図４に基づいて以下に説明する。
【００１３】
図４は、ネジ１０２の締め込み前（ａ）、ネジ１０２の締め込み途中（ｂ）およびネジ１０２の締め込み後（ｃ）について、図３のＣ−Ｃ線断面を示している。
【００１４】
以下、ネジ１０２について、ドライバー（ネジ締め工具）が差し込まれる螺子山部分を「ネジ頭部１０２ａ」、螺子切りされた部分を「ネジ胴体部１０２ｂ」という。
【００１５】
各リブ２１０（立設片の一例）は、ネジ孔２２０の中心からの距離がネジ頭部１０２ａの半径よりやや離れている位置を器具本体２００との接合点として、器具本体２００から立設している。つまり、各リブ２１０は、器具本体２００との接合点の互いの間隔がネジ頭部１０２ａの直径よりやや広い。これにより、図４（ｃ）に示すように、締め込まれたネジ１０２のネジ頭部１０２ａが各リブ２１０の胴部２１１の間に収まる。
また、各リブ２１０が最も近づく部分（後述する挟持部２１２［先頭部］）は、図４（ｃ）に示すように、ネジ孔２２０の中心からの距離がネジ胴体部１０２ｂの半径よりやや近い地点に位置する。つまり、各リブ２１０は、最も狭い互いの間隔（挟持部２１２の間隔）がネジ胴体部１０２ｂの直径よりやや狭い。これにより、図４（ａ）に示すように、各リブ２１０の間でネジ１０２が挟持される。
各リブ２１０は、弾性のある金属などでできた弾性部材である。
【００１６】
図４（ａ）に示すように、ネジ孔２２０に締め込まれる前のネジ１０２は、２つのリブ２１０の間に差し込まれて前後から挟まれ、ネジ孔２２０に対して垂直な直立の状態で仮保持される。これにより、ネジ１０２を手で支える必要が無いため、ネジ１０２の締め込み作業が容易になる。例えば、作業者は、片方の手で器具本体２００を壁１０１に押し当てて保持し、他方の手でドライバーを操作することにより、一人でネジ１０２を締め込むことができる。
【００１７】
各リブ２１０それぞれの形状は、「く」の字形状、「へ」の字形状または不等号記号の形状を成す。以下、各リブ２１０それぞれの形状を「く」の字形状として説明する。各リブ２１０は、「く」の字形状の背側（突側）で対向し、メガフォンの中心軸を通る断面の形状（以下、「メガフォン断面形状」という）を呈する。各リブ２１０は、メガフォン断面形状の広口部側でネジ孔２２０の周囲に接合する。そして、各リブ２１０は、「く」の字状の屈折部であり、メガフォン断面形状の絞り部である部分（挟持部２１２）でネジ１０２のネジ胴体部１０２ｂを挟持する。
【００１８】
以下、リブ２１０について、メガフォン断面形状の広口部を「胴部２１１」、メガフォン断面形状の絞り部を「挟持部２１２」、メガフォン断面形状の口当て部を「受入部２１３（先頭部）」という。
【００１９】
各リブ２１０の挟持部２１２は、締め込み前のネジ１０２のネジ胴体部１０２ｂに接してネジ胴体部１０２ｂを前後から挟持する（図４（ａ））。
ネジ１０２が締め込まれると挟持部２１２から外側に傾斜している受入部２１３（傾斜部）にネジ頭部１０２ａが接し、ネジ１０２が受入部２１３に沿って挟持部２１２に向かって移動することによりリブ２１０の受入部２１３が押し広げられ互いの挟持部２１２の間隔が開く（図４（ｂ））。
さらに締め込まれたネジ１０２は、ネジ頭部１０２ａが間隔の開いた器具本体２００の挟持部２１２を通過して器具本体２００の胴部２１１の間に収まり、器具本体２００を壁１０１に固定する（図４（ｃ））。
【００２０】
図５は、実施の形態１における器具本体２００の断面図であり、図３のＤ−Ｄ線断面を示す図である。
図４（ａ）で説明したネジ１０２の締め込み前の状態を図５（ａ）に示し、図４（ｃ）で説明したネジ１０２の締め込み後の状態を図５（ｂ）に示す。
【００２１】
実施の形態１において以下のような照明器具１００について説明した。
照明器具本体の取付用孔（ネジ孔２２０）の周囲に、木ねじの頭部径よりやや広い位置から垂直方向へ立ち上がり、その先端（挟持部２１２）が木ねじのネジ部（ネジ胴体部１０２ｂ）よりやや狭めになる様なリブ２１０が、照明器具本体と一体成形される。
【００２２】
各リブ２１０はネジ１０２を挟持して直立に保持できれば良く、各リブ２１０の形状は「く」の字形状に限られない。
【００２３】
図６は、実施の形態１におけるリブ２１０の形状例を示す図である。
例えば、各リブ２１０それぞれの形状は、胴部２１１に直立部分を有する数式記号の「ルート」形状（図６（ａ））、挟持部２１２が平坦である「く」の字形状（図６（ｂ））または複数の挟持部２１２を有するギザギザの「のこぎり刃」の形状（図６（ｃ））でもよい。
【００２４】
１組のリブ２１０の数は２つに限られず、ネジ１０２を支持する方向はネジ１０２の前後に限られない。
【００２５】
図７は、実施の形態１におけるリブ２１０の配置例を示す図である。
例えば、図７（ａ）に示すように、３つのリブ２１０をネジ孔２２０の長穴両端部それぞれに配置し、３つのリブ２１０で１つのネジ１０２を３方向から支持してもよい。
また例えば、図７（ｂ）に示すように、４つ以上のリブ２１０をネジ孔２２０の円周上に配置し、４つ以上のリブ２１０で１つのネジ１０２を支持してもよい。
【００２６】
実施の形態１における照明器具１００は、各ネジ１０２を各リブ２１０に挟持させて梱包することができるため、ネジ１０２を袋詰めしたり、ネジ１０２をテープで器具本体２００に接着したりする手間が省け、梱包作業が簡易である。
また、ネジ１０２が詰められた袋が破れたり、ネジ１０２を器具本体２００に接着するテープが剥れたりすることにより、ネジ１０２が紛失することもない。
【００２７】
実施の形態２．
実施の形態１と異なるリブ２１０の形態について説明する。
リブ２１０以外の照明器具１００の構成は実施の形態１と同じである。
【００２８】
図８は、実施の形態２におけるリブ２１０の形態を示す図である。
実施の形態２におけるリブ２１０の形態について、図８に基づいて以下に説明する。
図８は、図３のＥ方向から見たリブ２１０を示している。
【００２９】
リブ２１０は器具本体２００と接合する根元部分に溝が付けられ根元部分が細く、リブ２１０の正面の形状は立木形状、キノコ形状またはろうそく形状になっている。リブ２１０は、根元部分が細く加工されているため、根元部分で折り易い。以下、リブ２１０の根元部分を「折部２１４」（溝付き部の一例）という。
【００３０】
図９は、実施の形態２におけるネジ１０２の締め込み動作を示す図である。
実施の形態２におけるネジ１０２の締め込み動作について、図９に基づいて以下に説明する。
【００３１】
図９は、図４と同様に、ネジ１０２の締め込み前（ａ）、ネジ１０２の締め込み途中（ｂ）およびネジ１０２の締め込み後（ｃ）について、図３のＣ−Ｃ線断面を示している。
【００３２】
各リブ２１０は、実施の形態１と同じく、器具本体２００との接合点の互いの間隔がネジ頭部１０２ａの直径よりやや広く、互いの挟持部２１２の間隔がネジ胴体部１０２ｂの直径よりやや狭い。
【００３３】
各リブ２１０は、側面において「ハ」の字形状を呈する。
【００３４】
各リブ２１０の折部２１４は、胴部２１１に比べて薄く加工され、折り易い。
【００３５】
各リブ２１０の挟持部２１２は、締め込み前のネジ１０２のネジ胴体部１０２ｂに接してネジ胴体部１０２ｂを前後から挟持する（図９（ａ））。
ネジ１０２が締め込まれると各リブ２１０はネジ頭部１０２ａにより押し下げられ、折部２１４で折れ曲がる（図９（ｂ））。
さらにネジ１０２が締め込まれると各リブ２１０は折部２１４で折れ、ネジ頭部１０２ａは折れ残った折部２１４の間に収まり、器具本体２００は壁１０１に固定される（図９（ｃ））。
【００３６】
各リブ２１０の折部２１４は、折れた際に器具本体２００から取れても構わない。
【００３７】
また、実施の形態１の図７と同じく、３つ以上のリブ２１０でネジ１０２を支持してもよい。
【００３８】
実施の形態２において以下のような照明器具１００について説明した。
照明器具本体の取付用孔（ネジ孔２２０）の周囲に、木ねじの頭部径よりやや広い位置から垂直方向へ立ち上がり、その先端（挟持部２１２）は木ねじのネジ部（ネジ胴体部１０２ｂ）よりやや狭く、根元に折れ溝が付いたリブ２１０が、照明器具本体と一体成形される。
【００３９】
実施の形態２における照明器具１００は、実施の形態１と同じく、梱包作業が簡易であり、ネジ１０２の紛失を抑止することができるという効果を奏する。
【図面の簡単な説明】
【００４０】
【図１】実施の形態１における照明器具１００の半断面図。
【図２】実施の形態１における器具本体２００の底面図。
【図３】実施の形態１における器具本体２００の平面図。
【図４】実施の形態１におけるネジ１０２の締め込み動作を示す図。
【図５】実施の形態１における器具本体２００の断面図。
【図６】実施の形態１におけるリブ２１０の形状例を示す図。
【図７】実施の形態１におけるリブ２１０の配置例を示す図。
【図８】実施の形態２におけるリブ２１０の形態を示す図。
【図９】実施の形態２におけるネジ１０２の締め込み動作を示す図。
【符号の説明】
【００４１】
１００  照明器具、１０１  壁、１０２  ネジ、１０２ａ  ネジ頭部、１０２ｂ  ネジ胴体部、１０３  パッキン、１１０  ガラスグローブ、１１１  凸部、１２０  ランプ、１３０  ソケット、２００  器具本体、２０１  ソケット取付口、２０２  凸部、２０３  突片、２１０  リブ、２１１  胴部、２１２  挟持部、２１３  受入部、２１４  折部、２２０  ネジ孔。
【図１】
2010140730.tif 000003
【図２】
2010140730.tif 000004
【図３】
2010140730.tif 000005
【図４】
2010140730.tif 000006
【図５】
2010140730.tif 000007
【図６】
2010140730.tif 000008
【図７】
2010140730.tif 000009
【図８】
2010140730.tif 000010
【図９】
2010140730.tif 000011